(57)【要約】      （修正有）【課題】単価を大きく上げることなく製造でき、路上での配布において、通行人の嗜好によらず受け取って貰い易く、販促効果を高めることができるティッシュペーパー製品を提供する。【解決手段】ボックスティッシュペーパー１は、ティッシュペーパー積層体１１と、ティッシュペーパー積層体１１を包装するための直方体形状の包装用ボックス１２と、例えば１０００個につき１個の割合で内包された１枚３００円の宝くじとを備え、包装用ボックス１２の一つの面が、切り取ることでティッシュペーパーの取出口となる、略コの字状のミシン目１２１を有し、取出口の大きさが、包装用ボックス１２においてミシン目１２１を有する面の大きさの６０％〜９０％となるよう構成する。【選択図】図１
2019001478.tif 000002
【特許請求の範囲】
【請求項１】
特定の確率で、配布時に外部から見えないような状態で富くじを内包するティッシュペーパー製品。
【請求項２】
請求項１に記載のティッシュペーパー製品であって、さらに、
ティッシュペーパーを包装するための直方体形状の包装体を有し、
前記包装体の一つの面が、切り取ることでティッシュペーパーの取出口となる、略コの字状、又は、アーチ状のミシン目を有し、
前記取出口の大きさが、前記包装体において前記ミシン目を有する面の大きさの６０％〜９０％であること特徴とするティッシュペーパー製品。
【請求項３】
請求項２に記載のティッシュペーパー製品であって、
前記包装体の、前記ミシン目を備える面が富くじと略同じ大きさであること特徴とするティッシュペーパー製品。
【発明の詳細な説明】
【技術分野】
【０００１】
本発明は、ノベルティとして使用されるティッシュペーパー製品に関する。
【背景技術】
【０００２】
企業において、販売促進のための有効な方法としては、ノベルティの配布が知られている。特に、外装フィルムや中のラベルに広告が印刷されたポケットティッシュペーパーは、単価が数円〜十数円と非常に安いことから、多くの企業がノベルティとして利用している。このポケットティッシュペーパーは、一般的に路上の通行人に対して、手渡しで配布され、当然、通行人に受け取って貰えた数（以下、受領数と称す。）が多ければ多いほど高い販売促進効果（以下、販促効果と称す。）を期待できる。しかしながら、前述のとおり、ポケットティッシュペーパーの配布は、多くの企業が実施していることから、無料とはいえども、通行人がポケットティッシュペーパー自体に魅力を感じることが少なく、受け取って貰えないことも多い。
【０００３】
このため、企業としては、ポケットティッシュペーパーの受領数を増やし、販促効果を高めるため、いかに、ポケットティッシュペーパーを魅力的に見せるかが課題であって、ティッシュペーパーをウェットティッシュペーパーにしたり、ティッシュペーパーに付加価値を付けたり等の工夫を行っている。ティッシュペーパーに付加価値を付ける技術については、特許文献１や特許文献２で開示されている。具体的に、特許文献１では、特典として割引券、無料券、抽選券、応募券、引換券、寄付券、サービス券等を設ける技術が開示されている。また、特許文献２では、ティッシュペーパーの各々に、おみくじや占いを印刷する技術が開示されている。
【０００４】
しかしながら、前述の工夫によって、通行人がティッシュペーパーに魅力を感じるか否かは、通行人の嗜好によるため、必ずしも受領数が増えるとはいえない。加えて、これらの工夫は、ティッシュペーパーの単価を大きく上げることに繋がるため、コストの観点から好ましいとはいえない。また、特許文献１に開示される技術は、不当景品類及び不当表示防止法（以下、景品表示法と称す。）の関係から、設けることのできる特典に制限がある。
【先行技術文献】
【特許文献】
【０００５】
【特許文献１】実用新案登録第３１５６７４１号公報
【特許文献２】実開平６−５１１６７号公報
【発明の概要】
【発明が解決しようとする課題】
【０００６】
本発明は、従来のこのような事情に鑑みてなされたものである。本発明の主な目的は、単価を大きく上げることなく製造でき、路上での配布において、通行人の嗜好によらず受け取って貰い易いティッシュペーパー製品を提供することにある。
【課題を解決するための手段及び発明の効果】
【０００７】
本発明の第１の側面に係るティッシュペーパー製品によれば、特定の確率で、配布時に外部から見えないような状態で富くじを内包できる。前記構成により、単価を大きく上げることなく製造でき、路上での配布において、通行人の嗜好によらず受け取って貰い易いティッシュペーパー製品を提供できる。
【０００８】
発明の第２の側面に係るティッシュペーパー製品によれば、ティッシュペーパーを包装するための直方体形状の包装体を有し、前記包装体の一つの面が、切り取ることでティッシュペーパーの取出口となる、略コの字状、又は、アーチ状のミシン目を有し、前記取出口の大きさを、前記包装体において前記ミシン目を有する面の大きさの６０％〜９０％にできる。前記構成によれば、取出口が大きく設けられているため、取出口から指を入れ、ティッシュペーパーを包装用体の内部でスライドすることができる。すなわち、ティッシュペーパー製品の使用者は、ティッシュペーパーを全て使用することなく、包装体の底に封入された富くじの有無を確認できる。
【０００９】
発明の第３の側面に係るティッシュペーパー製品によれば、前記包装体の、前記ミシン目を備える面を富くじと略同じ大きさにできる。これにより、ティッシュペーパー製品の使用者は富くじ入りであることを連想しやすい。
【図面の簡単な説明】
【００１０】
【図１】本発明を適用した実施形態１に係るティッシュペーパー製品の構成図であって、取出口が形成されていない状態を示す図である。
【図２】本発明を適用した実施形態１に係るティッシュペーパー製品の構成図であって、取出口が形成された状態を示す図である。
【図３】本発明を適用した実施形態１に係るティッシュペーパー製品の宝くじの配置を説明するための図である。
【図４】本発明を適用した実施形態２に係るティッシュペーパー製品の構成図であって、取出口が形成されていない状態を示す図である。
【図５】本発明を適用した実施形態１に係るティッシュペーパー製品の宝くじの配置を説明するための図である。
【図６】本発明を適用した実施形態２に係るティッシュペーパー製品の構成図であって、取出口が形成された状態を示す図である。
【発明を実施するための形態】
【００１１】
以下、本発明の実施の形態を図面に基づいて説明する。ただし、以下に示す実施の形態は、本発明の技術思想を具体化するためのティッシュペーパー製品を例示するものであって、本発明はそれらを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１２】
本発明に係るティッシュペーパー製品は、特定の確率で、外部から見えないように宝くじ（特許請求の範囲における「富くじ」の一例に対応する。）を内包している。また、その態様は特に限定されず、例えば、ティッシュペーパー製品の一般的な態様である、ボックスティッシュペーパーやポケットティッシュペーパーであってもよい。以下では、実施形態１としてボックスティッシュペーパーの態様、実施形態２としてポケットティッシュペーパーの態様を説明する。なお、宝くじは、一般の賞金付きのくじを意味する富くじの一つであり、日本国において当せん金付証票法に基づき発行される富くじの名称である。
（ボックスティッシュペーパー１）
【００１３】
まず、ボックスティッシュペーパーの態様で本発明を実施するための形態について図１〜図３に基づいて説明する。本発明の実施形態１に係るボックスティッシュペーパー１は、図１に示すように、ティッシュペーパー積層体１１と包装用ボックス１２とからなる。便宜上、包装用ボックス１２において、ミシン目１２１がある面を上面１２ａ、上面１２ａに対向する面を下面１２ｂと称する。
【００１４】
また、ボックスティッシュペーパー１は、１０００個につき１個の割合で１枚３００円の宝くじ１３を内包する。
（ティッシュペーパー積層体１１）
【００１５】
ティッシュペーパー積層体１１は、例えば、一辺約１５ｃｍの略正方形で、２枚重ねで３０組のティッシュペーパー１１１が、それぞれ２つ折りに折り畳まれ、交互に重ねて積層されたものである。なお、ティッシュペーパー積層体１１の態様は前述の態様に限られず、紙の大きさ、折り方、積層数等は適宜変更してもよい。
（包装用ボックス１２）
【００１６】
包装用ボックス１２は、上面１２ａ及び下面１２ｂの大きさが、宝くじ１３と略同じ大きさの直方体形状で、ティッシュペーパー積層体１１を内包する紙製の箱体である。包装用ボックス１２は、図２に示すように、略コの字型のミシン目１２１を切り取られ、ミシン目１２１の両端部を結ぶ直線である折片１２２で折り曲げられることで、ティッシュペーパー１１１を取り出すための取出口１２３と、折片１２２を軸に開閉可能な開閉蓋１２４とが形成される。また、包装用ボックス１２の外表面には、会社や商品の広告、マスコットキャラクター等が印刷される。なお、包装用ボックス１２やミシン目１２１の形状は特に限定されず、例えば、ミシン目１２１の形状はアーチ状であってもよい。また、包装用ボックス１２の材質は、ボックスティッシュペーパー１の外部から宝くじ１３が入っているか否かが分からないよう、不透明な材質が好ましいが、外表面全体を印刷し内部が見えないようにする、または、宝くじ１３を見えない場所に内包する等の処置を行えば透明の材質を用いることもできる。また、包装用ボックス１２の大きさは、少なくともティッシュペーパー積層体１１及び宝くじ１３を内包できる大きさであればよく、特に限定されない。
（宝くじ１３）
【００１７】
宝くじ１３は、１枚３００円で、１０００個のボックスティッシュペーパー１につき１個の割合で内包される。宝くじ１３は、図３に示すように、ティッシュペーパー積層体１１と包装用ボックス１２の下面１２ｂとの間に配され、ボックスティッシュペーパー１の外部からは見えない。この配置によれば、ミシン目１２１を少し切り開き、包装用ボックス１２の中を覗く等の不正を働いたとしても、宝くじ１３が入っているか否かの確認ができない。
【００１８】
また、宝くじ１３の有無は、ティッシュペーパー１１１を全て使用することで確認することがきる。一方、図２に示すように取出口１２３を大きく設けていれば、取出口１２３から指を入れ、ティッシュペーパー積層体１１を包装用ボックス１２内でスライドすることで、ティッシュペーパー１１１を全て使用することなく、宝くじ１３の有無を確認することも可能である。なお、宝くじ１３の配置は、ティッシュペーパー積層体１１と包装用ボックス１２の下面１２ｂとの間に限られず、例えば、ティッシュペーパー積層体１１と包装用ボックス１２の上面１２ａとの間に配してもよい。また、包装用ボックス１２の大きさが小さい場合には、宝くじ１３を包装用ボックス１２に入るよう、適宜、折り曲げてもよい。
（宝くじ１３の内包率）
【００１９】
また、宝くじ１３の内包率は前述のものに限られず、景品表示法を違反しない範囲であれば適宜変更することができる。具体的に、本発明は、一般懸賞にあたるため、景品の総額が売上予定総額の２％以下でなければならない。例えば、ボックスティッシュペーパー１の単価を１５円とし、一セット１０００個で販売すれば、売上予定総額は１５０００円であるので、景品の総額は３００円以下でなければならない。つまり、前述の内包率は、景品表示法を違反していないといえる。
【００２０】
すなわち、より安価な宝くじ１３を用いれば内包率を上げることができ、逆に、内包率を下げ、ボックスティッシュペーパー１の単価を上げることで、単価の２０倍（景品表示法による制限）以下であれば、より高価な宝くじを内包することもできる。
【００２１】
このように、特定の確率で宝くじをノベルティのボックスティッシュペーパーに内包することで、通行人に受け取ってもらい易くなる。また、この方法によれば、ボックスティッシュペーパーの単価は大きく上がらない。
（ポケットティッシュペーパー２）
【００２２】
次に、ポケットティッシュペーパーの態様で本発明を実施するための形態について図４〜図６に基づいて説明する。本発明の実施形態２に係るポケットティッシュペーパー２は、図４に示すように、ティッシュペーパー積層体２１と包装用フィルム２２とラベル２３とからなる。便宜上、包装用フィルム２２において、ラベル２３が配される面を上面２２ａ、上面２２ａに対向する面を下面２２ｂと称する。
【００２３】
また、ポケットティッシュペーパー２は、１０００個につき１個の割合で１枚３００円の宝くじ２４を内包する。宝くじ２４は、ポケットティッシュペーパー２の外部から宝くじ２４が入っているか否かが分からないよう、図５に示すように、ラベル２３とティッシュペーパー積層体２１との間に配される。
【００２４】
以下で、本発明の実施形態２に係るポケットティッシュペーパー２を構成する包装用フィルム２２とラベル２３について説明する。なお、ティッシュペーパー積層体２１については、実施形態１と同様であるので説明を省略する。また、宝くじ２４の価格や内包率についても実施形態１と同様であるので説明を省略する。
（包装用フィルム２２）
【００２５】
包装用フィルム２２は、ティッシュペーパー積層体２１を内包するビニール製の包装体で、図６に示すように、直線形状のミシン目２２１を切り取ることでティッシュペーパー２１１の取出口２２２となる。なお、包装用フィルム２２の材質や形状、ミシン目２２１の形状は前述のものに限定されない。
（ラベル２３）
【００２６】
ラベル２３は、包装用フィルム２２の上面２２ａと同じ大きさの紙製のカードであって、包装用フィルム２２の上面２２ａ側に位置するよう内包され、会社や商品の広告、マスコットキャラクター等を印刷される。なお、ラベル２３は必ず備える必要はなく、例えば、包装用フィルム２２の外表面に広告を印刷してもよいし、包装用フィルム２２の上面２２ａ側の外表面に外ポケットを設け、名刺を入れる等、ポケットティッシュペーパー２の外部から宝くじ２４が入っているか否かが分からないような態様であれば適宜変更してもよい。
【００２７】
以上説明したように、本発明のティッシュペーパー製品は、特定の確率で、宝くじを内包することで、路上での配布において、通行人の嗜好によらず受け取って貰い易く、販促効果を高めることができる。また、本発明において、ティッシュペーパー製品の単価が大きく上がることはなく、製造コストの観点からも優れているといえる。
【産業上の利用可能性】
【００２８】
本発明のティッシュペーパー製品は、販売促進のためのノベルティとして使用できる。
【符号の説明】
【００２９】
１…ボックスティッシュペーパー
１１…ティッシュペーパー積層体；１１１…ティッシュペーパー
１２…包装用ボックス；１２１…ミシン目；１２２…折片；１２３…取出口；１２４…開閉蓋；１２ａ…上面；１２ｂ…下面
１３…宝くじ
２…ポケットティッシュペーパー
２１…ティッシュペーパー積層体；２１１…ティッシュペーパー
２２…包装用フィルム；２２１…ミシン目；２２２…取出口；２２ａ…上面；２２ｂ…下面
２３…ラベル
２４…宝くじ
【図１】
2019001478.tif 000003
【図２】
2019001478.tif 000004
【図３】
2019001478.tif 000005
【図４】
2019001478.tif 000006
【図５】
2019001478.tif 000007
【図６】
2019001478.tif 000008